(57)【要約】【課題】  パワースイッチと嵌合検知スイッチとを有するものにあって小型化できるレバー嵌合式電源回路遮断装置を提供する。【解決手段】  双方のコネクタハウジング１，３にパワースイッチを形成するパワー用端子９，３５を設け、一方のコネクタハウジング１に装着したレバー２と他方のコネクタハウジング３とに嵌合検知スイッチを形成する嵌合検知用端子を設け、レバー２を操作開始位置から操作完了位置に操作すると、パワー用端子９，３５間が接触してパワースイッチがオンし、その後に双方の嵌合検知用端子間が接触して嵌合検知スイッチがオンし、嵌合検知スイッチのオンによって電源回路が導通状態とされる嵌合式電源回路遮断装置１Ａにおいて、他方のコネクタハウジング３に設けられる嵌合検知用端子をブスバー３７を利用した一対の雄端子３８，３８によって形成し、レバー２に設けられる嵌合検知用端子を略コ字形状のショートピン２６によって形成した。【選択図】      図１１
2005142107.tif 000002
【特許請求の範囲】
【請求項１】
双方のコネクタハウジングにパワースイッチを形成するパワー用端子をそれぞれ設け、一方のコネクタハウジングに操作開始位置と操作完了位置との間で移動に設けたレバーと他方のコネクタハウジングとに嵌合検知スイッチを形成する嵌合検知用端子をそれぞれ設け、前記双方のコネクタハウジングをコネクタ仮嵌合位置にセットした状態で前記レバーを操作開始位置から操作完了位置に操作すると、前記双方のコネクタハウジングがコネクタ仮嵌合位置からコネクタ嵌合位置に移動すると共に、前記双方のパワー用端子間が接触して前記パワースイッチがオンし、その後に前記双方の嵌合検知用端子間が接触して前記嵌合検知スイッチがオンし、この嵌合検知スイッチのオンによって電源回路が導通状態とされるレバー嵌合式電源回路遮断装置において、
前記他方のコネクタハウジングに設けられる前記嵌合検知用端子を一対の雄端子によって形成すると共に、前記レバーに設けられる前記嵌合検知用端子をショートピンによって形成したことを特徴とするレバー嵌合式電源回路遮断装置。
【請求項２】
請求項１記載のレバー嵌合式電源回路遮断装置であって、
前記一対の雄端子は、他方のコネクタハウジング内に配置した一対のブスバーを利用して形成し、前記ショートピンは略コ字形状に形成し、前記ショートピンが前記一対の雄端子を両外側から挟持することによって接触されることを特徴とするレバー嵌合式電源回路遮断装置。
【請求項３】
請求項１又は請求項２記載のレバー嵌合式電源回路遮断装置であって、
前記レバーは、間隔をおいて配置された一対のアームプレート部と、この一対のアームプレート部を連結する操作部とを備え、この操作部に前記ショートピンを設けたことを特徴とするレバー嵌合式電源回路遮断装置。
【請求項４】
請求項１〜請求項３記載のレバー嵌合式電源回路遮断装置であって、
前記レバーの操作開始位置から操作完了位置までの移動は、回転移動と直線移動からなり、回転移動の過程で前記双方のパワー用端子間が接触し、直線移動の過程で前記一対の雄端子と前記ショートピンが接触することを特徴とするレバー嵌合式電源回路遮断装置。
【発明の詳細な説明】
【技術分野】
【０００１】
本発明は、カム機構を利用してレバーを低操作力で操作することにより一方のコネクタハウジングを他方のコネクタハウジングに嵌合したり、逆に嵌合を解除したりするレバー嵌合式電源回路遮断装置に関する。
【背景技術】
【０００２】
例えば電気自動車では、バッテリーである電源の容量が通常のガソリンエンジン車等に較べて大容量であるため、電気系統等をメンテナンスするような場合には回路遮断装置によって電源回路を開放して作業安全性を確保する。この種の従来のレバー嵌合式電源回路遮断装置として、図１８〜図３０に示すものがある（例えば、特許文献１参照）。
【０００３】
このレバー嵌合式電源回路遮断装置１００は、図２７〜図３０に示すように、一方のコネクタハウジング１０１と、この一方のコネクタハウジング１０１に取り付けられたレバー１０２と、このレバー１０２の操作により一方のコネクタハウジング１０１が装着される他方のコネクタハウジング１０３とを備えている。
【０００４】
一方のコネクタハウジング１０１は、図１８及び図２１〜図２３に示すように、ハウジング本体１０４とこのハウジング本体１０４の上方を塞ぐように装着されたカバー１０５とを備えている。ハウジング本体１０４の下方には端子フード部１０８が設けられ、この端子フード部１０８内に一対の雄端子１０９，１０９（図２２及び図２３（ｂ）に示す）が下方に突出された状態で設けられている。この一対の雄端子１０９，１０９はハウジング本体１０４内に収容されたヒューズ１１０（図２３（ａ）に示す）を介して電気的に接続されている。
【０００５】
ハウジング本体１０４の外壁には一対のガイドピン１１１，１１１が突設されており、この各ガイドピン１１１にレバー１０２の後述するガイド溝１２０が係合される。
【０００６】
ハウジング本体１０４の外壁には一対のレバー軌跡矯正用ガイド溝１１５，１１５が設けられており、この各レバー軌跡矯正用ガイド溝１１５を形成する一方の段差側面１１５ａは、上下方向に延びる垂直段差側面と水平方向に延びる水平段差側面とこれらの側面を円弧状に結ぶ円弧段差側面とから形成されている。そして、この一対のレバー軌跡矯正用ガイド溝１１５，１１５には他方のコネクタハウジング１０３の後述する一対のレバー軌跡矯正用ガイドピン１２４，１２４が係合され、一対のレバー軌跡矯正用ガイドピン１２４，１２４はレバー軌跡矯正用ガイド溝１１５の段差側面１１５ａに沿って摺動される。
【０００７】
レバー１０２は、図１９〜図２３に示すように、間隔をおいて平行に配置された一対のアームプレート部１１８ａ，１１８ｂと、この一対のアームプレート部１１８ａ，１１８ｂを連結する操作部１１９とを備えている。一対のアームプレート部１１８ａ，１１８ｂには水平方向に延びるガイド溝１２０が対称位置に設けられており、この各ガイド溝１２０に一方のコネクタハウジング１０１の一対のガイドピン１１１，１１１がそれぞれ挿入されている。
【０００８】
一対のアームプレート部１１８ａ，１１８ｂには対称位置にカム溝１２１が設けられており、この一対のカム溝１２１，１２１には他方のコネクタハウジング１０３の後述するカムピン１３６を挿入される。また、一対のアームプレート部１１８ａ，１１８ｂの内壁にはレバー軌跡矯正用ガイドピン１２４がそれぞれ設けられており、この一対のレバー軌跡矯正用ガイドピン１２４，１２４は一方のコネクタハウジング１０１の一対のレバー軌跡矯正用ガイド溝１１５，１１５に係合されている。
【０００９】
また、一対のアームプレート部１１８ａ，１１８ｂの一方は他方に比べて幅広に設けられている。この幅広のアームプレート部１１８ｂにはコネクタ部１２５（図２０（ａ）及び図２３に示す）が設けられ、このコネクタ部１２５に嵌合検知用雄端子１２６が設けられている。
【００１０】
他方のコネクタハウジング１０３は、図２４及び図２５等に示すように、上面が解放された概略直方体形状を有し、その内部スペースが一方のコネクタハウジング１０１の装着スペース１３０となっている。装着スペース１３０の下面となる底面部１３１には端子フード・収容部１３４が上下方向に突出した状態で一体的に設けられており、この端子フード・収容部１３４内には雌端子１３５（図２４及び図２５に示す）がそれぞれ収容されている。各雌端子１３５にはリード線１３９ａの一端側が接続されており、リード線１３９ａの一方は電源回路Ｂの負荷部１４０側に、他方は電源回路Ｂの電源部１４１側にそれぞれ導かれている。つまり、双方のコネクタハウジング１０１，１０３の雄端子１０９と雌端子１３５とによって電源回路ＢのパワースイッチＳＷ１（図２６に示す）が構成されている。
【００１１】
また、他方のコネクタハウジング１０３の内周壁の対称位置には一対のカムピン１３６，１３６が突設されており、この一対のカムピン１３６，１３６は上述したように一方のコネクタハウジング１０１が装着される際にレバー１０２のカム溝１２１に挿入される。また、他方のコネクタハウジング１０３の装着スペース１３０内にはコネクタ部１３７が設けられており、このコネクタ部１３７には一対の嵌合検知用雌端子１３８，１３８が配置されている。この一対の嵌合検知用雌端子１３８，１３８とレバー１０２の嵌合検知用雄端子１２６とによって嵌合検知スイッチＳＷ２（図２６に示す）が構成されており、この嵌合検知スイッチＳＷ２は一対の嵌合検知用雌端子１３８，１３８にレバー１０２の雄端子１２６が接触されることによってオンされ、レバー１０２の雄端子１２６が非接触の状態でオフされる。この一対の雌端子１３８，１３８にはリード線１３９ｂがそれぞれ接続されており、この双方のリード線１３９ｂは電源回路Ｂ内のリレー回路１４２に導かれている。
【００１２】
次に、電源回路Ｂを説明する。図２６に示すように、電源回路Ｂは、負荷部１４０と、この負荷部１４０に電源を供給する電源部１４１とを有し、この負荷部１４０と電源部１４１には双方のコネクタハウジング１０１，１０３の端子１０９，１３５によるパワースイッチＳＷ１とリレー回路１４２とが直列接続されている。リレー回路１４２は嵌合検知スイッチＳＷ２のオン時にはオンされ、嵌合検知スイッチＳＷ２のオフ時にはオフされる電気回路である。双方のコネクタハウジング１０１，１０３の端子１０９，１３５によるパワースイッチＳＷ１は、上述したように機械的なスイッチである。
【００１３】
次に、レバー嵌合式電源回路遮断装置１００の動作を図２７〜図３０を用いて説明する。図２７は一方のコネクタハウジング１０１を他方のコネクタハウジング１０３に仮嵌合させる前の状態を示す斜視図、図２８は一方のコネクタハウジング１０１を他方のコネクタハウジング１０３のコネクタ仮嵌合位置にセットした状態を示す斜視図、図２９は一方のコネクタハウジング１０１を他方のコネクタハウジング１０３に嵌合する過程であって、レバー１０２が回転完了位置にある状態を示す斜視図、図３０は一方のコネクタハウジング１０１を他方のコネクタハウジング１０３に嵌合完了した状態を示す斜視図である。
【００１４】
先ず、レバー嵌合式電源回路遮断装置１００により電源回路Ｂを導通状態とする動作を説明する。図２７に示すように、レバー１０２を操作開始位置として一方のコネクタハウジング１０１を他方のコネクタハウジング１０３の上方より装着スペース１３０内に挿入すると、図２８に示すように、一方のコネクタハウジング１０１の端子フード部１０８が他方のコネクタハウジング１０３の端子フード・収容部１３４に嵌合しつつ挿入されると共にレバー１０２の一対のカム溝１２１，１２１に他方のコネクタハウジング１０３の一対のカムピン１３６，１３６が挿入される。そして、一対のカムピン１３６，１３６が一対のカム溝１２１，１２１に入り込み、コネクタ仮嵌合位置にセットされる。
【００１５】
次に、レバー２を図２８の矢印Ａ１方向に回転させる。すると、レバー１０２が一対のガイドピン１１１，１１１を中心として回転して図２８の操作開始位置から図２９の回転完了位置まで回転される。このレバー１０２の回転によって一方のコネクタハウジング１０１が他方のコネクタハウジング１０３内に徐々に近接移動されて入り込む。そして、レバー１０２が回転完了位置に位置するまでに双方のコネクタハウジング１０１，１０３の端子１０９，１３５間が接触状態とされると共に、レバー１０２の回転完了位置では双方のコネクタハウジング１０１，１０３がコネクタ嵌合位置となる。
【００１６】
次に、レバー１０２を図２９の矢印Ｂ１方向にスライドさせると、レバー１０２の一対のガイド溝１２０，１２０内を一対のガイドピン１１１，１１１がスライドすると共に他方のコネクタハウジング１３の一対のカムピン１３６，１３６がレバー１０２の一対のカム溝１２１，１２１内をスライド移動して図３０の嵌合完了位置に位置する。このスライド過程でレバー１０２の嵌合検知用雄端子１２６が他方のコネクタハウジング１０３の一対の嵌合検知用雌端子１３８，１３８に接触される。そして、嵌合検知スイッチＳＷ２がオンされると、リレー回路１４２がオンされ、これによって初めて電源回路Ｂが導通状態とされる。
【００１７】
次に、レバー嵌合式電源回路遮断装置１００により導通状態である電源回路Ｂを非導通状態（電源遮断）とする動作を説明する。図３０の状態にあって、操作完了位置に位置するレバー１０２を図３０の矢印Ｂ２方向にスライドさせると、レバー１０２の一対のガイド溝１２０，１２０内を一対のガイドピン１１１，１１１がスライドすると共に他方のコネクタハウジング１０３の一対のカムピン１３６，１３６がレバー１０２の一対のカム溝１２１，１２１内をスライド移動することによってレバー１０２が図２９の回転完了位置までスライド移動する。レバー１０２が回転完了位置に位置するまでにレバー１０２の嵌合検知用雄端子１２６が他方のコネクタハウジング１０３の一対の嵌合検知用雌端子１３８，１３８より離間して非接触状態とされる。そして、嵌合検知スイッチＳＷ２がオフされると、リレー回路１４２がオフされ、この時点で既に電源回路Ｂが非導通状態とされる。
【００１８】
次に、レバー１０２を図２９の矢印Ａ２方向に回転させると、レバー１０２が一対のガイドピン１１１，１１１を中心として回転して図２８の操作開始位置まで回転される。また、レバー１０２の一対のカム溝１２１，１２１内を他方のコネクタハウジング１０３の一対のカムピン１３６，１３６が移動することによって一方のコネクタハウジング１０１が他方のコネクタハウジング１０３の上方に徐々に離間移動されて引き出される。そして、レバー１０２が操作開始位置に位置するまでに双方のコネクタハウジング１０１，１０３の端子１０９，１３５間が非接触状態とされると共に、レバー１０２の操作開始位置では双方のコネクタハウジング１０１，１０３がコネクタ仮嵌合位置となる。
【００１９】
以上、このレバー嵌合式電源回路遮断装置１００では、レバー１０２を操作開始位置から回転完了位置に回転移動した過程では、双方のコネクタハウジング１０１，１０３の端子１０９，１３５間が接触状態となりパワースイッチＳＷ１がオンされるが、電源回路Ｂは未だ非導通であり、レバー１０２を回転完了位置から操作完了位置にスライド移動（直線移動）した過程で嵌合検知スイッチＳＷ２がオンされ、これによってリレー回路１４２がオンされて電源回路Ｂが初めて導通状態となるため、レバー１０２の操作途中で電源回路Ｂが導通状態となることを防止できる。従って、レバー１０２の操作が完了していないため、電源回路Ｂが未だ非導通であるとの認識が正当なものとなり、事故の発生を未然に防止できることになる。又、電源回路Ｂを導通状態から非導通状態とするに際し、レバー１０２を操作完了位置から回転完了位置に直線移動した過程では、嵌合検知スイッチＳＷ２がオフされ、これによってリレー回路１４２がオフされて電源回路Ｂが非導通状態となり、レバー１０２を回転完了位置から操作開始位置に回転移動した過程で双方の端子１０９，１３５間のパワースイッチＳＷ１が離間状態となり、電源回路Ｂがオフされてから端子１０９，１３５間のパワースイッチＳＷ１が離間されるまでにタイムラグがあり、放電時間が確保されるため、アーク放電を防止できる。
【特許文献１】特開２００２−３４３１６９号公報
【発明の開示】
【発明が解決しようとする課題】
【００２０】
しかしながら、前記従来のレバー嵌合式電源回路遮断装置１００では、嵌合検知スイッチＳＷ２が嵌合検知用雄端子１２６と一対の嵌合検知用雌端子１３８，１３８とからいわゆるオスメス端子構造に形成され、コネクタ部１２５，１３７内に配置されているため、大きな設置スペースが必要である。そのため、レバー１０２の幅寸法Ｗ１及び他方のコネクタハウジング１０３の幅寸法Ｗ２が大きくなり、レバー嵌合式電源回路遮断装置１００が大型化になるという問題がある。
【００２１】
そこで、本発明は、前記した課題を解決すべくなされたものであり、パワースイッチと嵌合検知スイッチとを有するものにあって小型化できるレバー嵌合式電源回路遮断装置を提供することを目的とする。
【課題を解決するための手段】
【００２２】
請求項１の発明は、双方のコネクタハウジングにパワースイッチを形成するパワー用端子をそれぞれ設け、一方のコネクタハウジングに操作開始位置と操作完了位置との間で移動に設けたレバーと他方のコネクタハウジングとに嵌合検知スイッチを形成する嵌合検知用端子をそれぞれ設け、前記双方のコネクタハウジングをコネクタ仮嵌合位置にセットした状態で前記レバーを操作開始位置から操作完了位置に操作すると、双方のコネクタハウジングがカム機構によってコネクタ仮嵌合位置からコネクタ嵌合位置に移動すると共に、前記双方のパワー用端子間が接触して前記パワースイッチがオンし、その後に前記双方の嵌合検知用端子間が接触して前記嵌合検知スイッチがオンし、この嵌合検知スイッチのオンによって電源回路が導通状態とされるレバー嵌合式電源回路遮断装置において、前記他方のコネクタハウジングに設けられる前記嵌合検知用端子を一対の雄端子によって形成すると共に、前記レバーに設けられる前記嵌合検知用端子をショートピンによって形成したことを特徴とする。
【００２３】
請求項２の発明は、請求項１記載のレバー嵌合式電源回路遮断装置であって、前記一対の雄端子は、他方のコネクタハウジング内に配置した一対のブスバーを利用して形成し、前記ショートピンは略コ字形状に形成し、前記ショートピンが前記一対の雄端子を両外側から挟持することによって導通状態になることを特徴とする。
【００２４】
請求項３の発明は、請求項１又は請求項２記載のレバー嵌合式電源回路遮断装置であって、前記レバーは、間隔をおいて配置された一対のアームプレート部と、この一対のアームプレート部を連結する操作部とを備え、この操作部に前記ショートピンを設けたことを特徴とする。
【００２５】
請求項４の発明は、請求項１〜請求項３記載のレバー嵌合式電源回路遮断装置であって、前記レバーの操作開始位置から操作完了位置までの移動は、回転移動と直線移動からなり、回転移動の過程で前記双方のパワー用端子間が接触し、直線移動の過程で前記一対の雄端子と前記ショートピンが接触することを特徴とする。
【発明の効果】
【００２６】
請求項１の発明によれば、嵌合検知スイッチが一対の雄端子とショートピンとから構成するため、他方のコネクタハウジングとレバーにそれぞれ小さな設置スペースで設置できる。従って、他方のコネクタハウジング及びレバーを小型化でき、ひいてはレバー嵌合式電源回路遮断装置を小型化できる。また、嵌合検知スイッチの構造が簡単であるため、安価に作成できる。
【００２７】
請求項２の発明によれば、略コ字形状のショートピンが一対の雄端子を挟持することによって接触することから大きな圧接力で接触させることができるため、信頼性の高い導通状態が得られる。
【００２８】
請求項３の発明によれば、レバーの幅を大きくすることなくショートピンを設置できる。
【００２９】
請求項４の発明によれば、電源回路を導通させるレバーの操作は回転操作と直線操作との２アクションからなり、後の直線操作によって電源回路が導通され、また、電源回路を非導通とさせるレバーの操作はその逆の２アクションからなり、先の直線操作で電源回路がオフされ、その次の回転操作でパワー用端子間のパワースイッチが遅れてオフされ、十分な放電時間を確保できる。
【発明を実施するための最良の形態】
【００３０】
以下、本発明の一実施形態を図面に基づいて説明する。
【００３１】
図１〜図１７は本発明の一実施形態のレバー嵌合式電源回路遮断装置を示し、図１（ａ）は一方のコネクタハウジングの分解正面図、図１（ｂ）は一方のコネクタハウジングの分解側面図、図２はレバーの斜視図、図３（ａ）はレバーの側面図、図３（ｂ）は図３（ａ）中Ａ−Ａ線に沿う断面図、図４はレバーを装着した一方のコネクタハウジングであって、レバーが操作開始位置に位置する状態を示す正面図、図５はレバーを装着した一方のコネクタハウジングであって、レバーが操作開始位置に位置する状態を示す背面図、図６（ａ）はレバーを装着した一方のコネクタハウジングの一部を切り欠いた平面図、図６（ｂ）はレバーを装着した一方のコネクタハウジングの底面図、図７は他方のコネクタハウジングの一部を切り欠いた正面図、図８（ａ）は他方のコネクタハウジングの平面図、図８（ｂ）は図８（ａ）中Ｂ−Ｂ線に沿う断面図である。
【００３２】
図１０〜図１５及び図１８〜図２２に示すように、高電圧・大電流回路用のレバー嵌合式電源回路遮断装置１Ａは、合成樹脂製の一方のコネクタハウジング１と、この一方のコネクタハウジング１に取り付けられた合成樹脂製のレバー２と、このレバー２の操作により一方のコネクタハウジング１が装着される合成樹脂製の他方のコネクタハウジング３とを備えている。
【００３３】
図１及び図４〜図６に示すように、一方のコネクタハウジング１は、ハウジング本体４と、このハウジング本体４の上方を塞ぐように装着されるカバー５とを有し、ハウジング本体４の三角錐の一対の突起（凸部）６，６にカバー５の係止孔７が挿入されることによってカバー５がハウジング本体４に装着されるようになっている。三角錐の各突起６は、下方側がハウジング本体４の面に対して垂直面になり、上方及び側方が共にハウジング本体４の面より徐々に立ち上がる傾斜面になるように設けられており、これによってカバー５は図１（ａ）にて実線で示すようにハウジング本体４の上方からと、図１（ａ）にて仮想線で示すようにハウジング本体４の側方からとの両方向から装着可能になっている。従って、狭いスペースにレバー嵌合式電源回路遮断装置１Ａが設置される場合においてカバー５の装着や取り外しを容易に行うことができるようになっている。
【００３４】
ハウジング本体４の下方には端子フード部８が設けられ、この端子フード部８内に図５と図６（ｂ）に示す一対のパワー用雄端子（パワー用端子）９，９が下方に突出された状態で設けられている。この一対のパワー用雄端子９，９はハウジング本体４内に収容された図６（ａ）と図２１に示すヒューズ１０を介して電気的に接続されている。
【００３５】
ハウジング本体４の外壁には一対のガイドピン１１，１１が突設されており、この各ガイドピン１１は円柱形状の上下端部をカットした略楕円形状を有している。つまり、長寸法幅の部分と短寸法幅の部分とが構成されている。そして、一対のガイドピン１１，１１には、レバー２の後述するガイド溝２０にそれぞれ係合されるようになっている。
【００３６】
また、ハウジング本体４の外壁には略半球状の一対の係止突起（凸部）１２，１２が突設されており、この各係止突起１２はハウジング本体４の外壁の一対のスリット１３，１３間で形成された可撓アーム部１４に設けられている。一対の係止突起１２，１２はレバー２の後述する第１係止孔２２及び第２係止孔２３が挿入されることによってレバー２を所定の位置に保持するものであり、可撓アーム部１４の弾性撓み変形によってハウジング本体４の内側方向に容易に変移するようになっている。さらに、ハウジング本体４の外壁には一対のレバー軌跡矯正用ガイド溝１５，１５が設けられており、この各レバー軌跡矯正用ガイド溝１５を形成する一方の段差側面１５ａは、上下方向に延びる垂直段差側面と水平方向に延びる水平段差側面とこれらの側面を円弧状に結ぶ円弧段差側面とから形成されている。そして、この一対のレバー軌跡矯正用ガイド溝１５，１５には他方のコネクタハウジング３の後述する一対のレバー軌跡矯正用ガイドピン２４，２４が係合され、一対のレバー軌跡矯正用ガイドピン２４，２４はレバー軌跡矯正用ガイド溝１５の段差側面１５ａに沿って摺動されるようになっている。
【００３７】
また、ハウジング本体４には一対のレバー回転ストッパー部１６，１６が突設されている。この一対のレバー回転ストッパー部１６，１６は、レバー２が一方のコネクタハウジング１に直立状態となる図１０及び図１１の操作開始位置と、レバー２が一方のコネクタハウジング１に平行状態となる図１４の回転完了位置との間でのみ回転可能なようにレバー２の回転を規制している。
【００３８】
図２〜図６に示すように、レバー２は、間隔をおいて平行に配置された一対のアームプレート部１８ａ，１８ｂと、この一対のアームプレート部１８ａ，１８ｂを連結する操作部１９とを備えている。一対のアームプレート部１８ａ，１８ｂには水平方向に延びるガイド溝２０が対称位置に設けられており、この各ガイド溝２０に一方のコネクタハウジング１の一対のガイドピン１１，１１がそれぞれ挿入されている。各ガイド溝２０は、一端側の円弧状の円弧部２０ａと、これに連通される直線状のストレート部２０ｂとから構成されている。この円弧部２０ａの直径はガイドピン１１の円弧部分（長寸法幅の部分）の直径より若干だけ大きく、ストレート部２０ｂの幅はガイドピン１１のカットされた部分（短寸法幅の部分）の幅より若干だけ大きくそれぞれ設けられている。そして、レバー２は、図１４に示す回転完了位置以外の回転位置ではガイドピン１１がガイド溝２０の円弧部２０ａにのみ配置可能とされ、図１０及び図１１の操作開始位置と図１４の回転完了位置との間の回転移動が許容され、図１４に示す回転完了位置ではガイドピン１１がガイド溝２０の円弧部２０ａからストレート部２０ｂへのスライド移動が可能とされ、図１４の回転完了位置と図１５の操作完了位置との間のスライドによる直線移動が許容される。レバー２は、以上のように一方のコネクタハウジング１に対して回転移動、且つ、直線移動可能に設けられている。
【００３９】
また、一対のアームプレート部１８ａ，１８ｂには対称位置にカム溝２１が設けられており、この一対のカム溝２１，２１は一方のコネクタハウジング１を他方のコネクタハウジング３に装着する際に他方のコネクタハウジング３の後述するカムピン３６を挿入する。この各カム溝２１は、一端側がアームプレート部１８ａ，１８ｂの端面に開口する開口部２１ａを有し、この開口部２１ａから奥に向かうに従ってガイド溝２０の円弧部２０ａからの距離ｒを徐々に近接する方向に可変する屈曲部２１ｂと、ガイド溝２０のストレート部２０ｂに平行に配置されたストレート部２１ｃとから構成されている。
【００４０】
さらに、図１０に示すように、レバー２が直立状態とされた場合に開口部２１ａの上方の側壁面は、レバー２を用いずに一方のコネクタハウジング１を他方のコネクタハウジング３に挿入してコネクタ仮嵌合位置とする際に、図１１及び図１２に示すように、カムピン３６が当接されるカム溝２１の側壁ストッパ面１７として形成されている。つまり、それ以上のカムピン３６の挿入が阻止され、それ以降はレバー２の操作によってのみ挿入されるようになっている。
【００４１】
また、一対のアームプレート部１８ａ，１８ｂには第１係止孔（凹部）２２及び第２係止孔（凹部）２３が対称位置にそれぞれ設けられており、この第１係止孔２２及び第２係止孔２３に一方のコネクタハウジング１の係止突起１２が挿入されている。レバー２が一方のコネクタハウジング１に直立状態となる操作開始位置（回転開始位置）では第１係止孔２２に係止突起１２が挿入されることによってレバー２が操作開始位置（回転開始位置）に位置保持される。さらに、レバー２が一方のコネクタハウジング１に平行状態となる操作完了位置では第２係止孔２３に係止突起１２が挿入されることによってレバー２が操作完了位置に位置保持される。尚、レバー２の回転完了位置は操作途中位置であるため、係止突起１２は係止されない。
【００４２】
さらに、一対のアームプレート部１８ａ，１８ｂの内壁にはレバー軌跡矯正用ガイドピン２４，２４がそれぞれ設けられており、この一対のレバー軌跡矯正用ガイドピン２４，２４は一方のコネクタハウジング１の一対のレバー軌跡矯正用ガイド溝１５，１５に係合されている。
【００４３】
操作部１９の下部にはピン保持部２５が設けられ、このピン保持部２５には嵌合検知用端子であるショートピン２６が保持されている。ショートピン２６は、間隔をおいて略平行に配置された接触部とこの一対の接触部を連結する連結ショート部とから略コ字形状で、且つ、弾性に富んだ導電材より形成されている。また、操作部１９には指挿入孔２７が設けられており、この指挿入孔２７は操作者の指一本のみがようやく挿入できる程度の大きさに設定されている。
【００４４】
図７及び図８に示すように、他方のコネクタハウジング３は上面が解放された概略直方体形状を有し、その内部スペースが一方のコネクタハウジング１の装着スペース３０となっている。この装着スペース３０の下面となる底面部３１には図２１及び図２２に示すボルト挿入孔３２が形成され、このボルト挿入孔３２に挿入されたボルト３３によって他方のコネクタハウジング３が図示しない所望の取付面に固定されるようになっている。
【００４５】
また、装着スペース３０の下面となる底面部３１には端子フード収容部３４が上下方向に突出した状態で一体的に設けられており、この端子フード収容部３４内には図５及び図６（ｂ）に示す一対のパワー用雌端子（パワー用端子）３５，３５がそれぞれ収容されている。一方のコネクタハウジング１が他方のコネクタハウジング３の上方から下方に近接移動されると、一方のコネクタハウジング１の一対のパワー用雄端子９，９が端子フード収容部３４内に入り込んで一対のパワー用雌端子３５，３５に接触され、また、相互のパワー用端子９，３５間が接触状態にあって一方のコネクタハウジング１が下方から上方に離間移動されると、一対のパワー用雄端子９，９が端子フード収容部３４内から退出して一対のパワー用雌端子３５，３５と非接触とされる。
【００４６】
また、各パワー用雌端子３５にはリード線３９ａの一端側が接続されており、リード線３９ａの一方は電源回路Ｄの負荷部４０側に、他方は電源回路Ｄの電源部４１側にそれぞれ導かれている。つまり、図９に示すように、双方のコネクタハウジング１，３のパワー用雄端子９とパワー用雌端子３５とによって電源回路ＤのパワースイッチＳＷ１が構成されている。
【００４７】
また、他方のコネクタハウジング３の内周壁の対称位置には一対のカムピン３６，３６が突設されており、この一対のカムピン３６，３６は、一方のコネクタハウジング１が装着される際にレバー２のカム溝２１に挿入されるようになっている。さらに、他方のコネクタハウジング３の一側面部には一対のブスバー３７，３７が間隔をおいて平行に配置されており、各ブスバー３７，３７は剛性が高い導電材で、且つ、フラットなロッド形状に形成されている。この一対のブスバー３７，３７の上端部は他方のコネクタハウジング３より外部に露出されており、この露出箇所が嵌合検知用端子である一対の雄端子３８，３８として形成されている。つまり、一対のブスバー３７，３７を利用して一対の雄端子３８，３８が形成されている。そして、この一対の雄端子３８，３８とレバー２のショートピン２６とによって嵌合検知スイッチＳＷ２が構成されている。この嵌合検知スイッチＳＷ２は一対の雄端子３８，３８にレバー２のショートピン２６が接触されることによってオンされ、レバー２のショートピン２６が非接触の状態でオフされる。この一対の雄端子３８，３８にはリード線３９ｂがそれぞれ接続されており、この双方のリード線３９ｂは電源回路Ｄ内のリレー回路４２に導かれている。
【００４８】
次に、電源回路Ｄを説明する。図９に示すように、電源回路Ｄは、負荷部４０と、この負荷部４０に電源を供給する電源部４１とを有し、この負荷部４０と電源部４１には双方のコネクタハウジング１，３のパワー用端子９，３５によるパワースイッチＳＷ１とリレー回路４２とが直列に接続されている。リレー回路４２は嵌合検知スイッチＳＷ２のオン時にはオンされ、嵌合検知スイッチＳＷ２のオフ時にはオフされる電気回路である。双方のコネクタハウジング１，３のパワー用端子９，３５によるパワースイッチＳＷ１は、上述したように機械的なスイッチである。
【００４９】
次に、レバー嵌合式電源回路遮断装置１Ａの動作を図１０〜図１７を用いて説明する。図１０は一方のコネクタハウジングを他方のコネクタハウジングに仮嵌合させる前の状態を示す斜視図、図１１は一方のコネクタハウジングを他方のコネクタハウジングに装着する過程のコネクタ仮嵌合位置であってレバーが操作開始位置にある状態を示す斜視図、図１２はその同じ状態の一部破断の正面図、図１３はその同じ状態で、且つ、レバーを省略した断面図、図１４は一方のコネクタハウジングを他方のコネクタハウジングに装着する過程のコネクタ嵌合位置であって、レバーが回転完了位置にある状態を示す斜視図、図１５は一方のコネクタハウジングを他方のコネクタハウジングに装着完了した状態を示す斜視図、図１６（ａ）は一方のコネクタハウジングを他方のコネクタハウジングに装着する際のカムピンの移動過程を説明するものであって、レバーが操作開始位置と回転完了位置との間にある状態を示す正面図、図１６（ｂ）は同じくカムピンの移動過程を説明するものであって、レバーが回転完了位置にある状態を示す正面図、図１６（ｃ）は同じくカムピンの移動過程を説明するものであって、レバーが操作完了位置にある状態を示す正面図、図１７（ａ）は一方のコネクタハウジングを他方のコネクタハウジングに装着する際のレバー軌跡矯正用ガイドピンの移動過程を説明するものであって、レバーが操作開始位置と回転完了位置との間にある状態を示す正面図、図１７（ｂ）は同じくレバー軌跡矯正用ガイドピンの移動過程を説明するものであって、レバーが回転完了位置にある状態を示す正面図、図１７（ｃ）は同じくレバー軌跡矯正用ガイドピンの移動過程を説明するものであって、レバーが操作完了位置にある状態を示す正面図である。
【００５０】
先ず、レバー嵌合式電源回路遮断装置１Ａにより電源回路Ｄを導通状態とする動作を説明する。図１０に示すように、レバー２を操作開始位置として一方のコネクタハウジング１を他方のコネクタハウジング３の上方より装着スペース３０内に挿入すると、一方のコネクタハウジング１の端子フード部８が他方のコネクタハウジング３の端子フード収容部３４に嵌合しつつ挿入されると共に、レバー２の一対のカム溝２１，２１に他方のコネクタハウジング３の一対のカムピン３６，３６が挿入される。そして、図１１及び図１２に示すように、一対のカムピン３６，３６が一対のカム溝２１，２１の各開口部２１ａに入り込み、一対のカムピン３６，３６が一対のカム溝２１，２１の側壁ストッパ面１７に当接され、これにより双方のコネクタハウジング１，３をコネクタ仮嵌合位置にセットする。このコネクタ仮嵌合位置では双方のコネクタハウジング１，３の各パワー用端子９，３５間同士は未だ非接触である。
【００５１】
次に、レバー２を図１１及び図１２の矢印Ａ１方向に回転させると、レバー２が一対のガイドピン１１，１１を中心として回転して図１１の操作開始位置から図１４の回転完了位置まで回転される。また、図１６（ａ）に示すように、レバー２の一対のカム溝２１，２１内を他方のコネクタハウジング３の一対のカムピン３６，３６が移動することによって、一方のコネクタハウジング１が他方のコネクタハウジング３内に徐々に近接移動されて入り込む。そして、レバー２が回転完了位置に位置するまでに双方のコネクタハウジング１，３の各パワー用端子９，３５間が接触状態とされると共に、レバー２の回転完了位置では双方のコネクタハウジング１，３がコネクタ嵌合位置となる。
【００５２】
次に、レバー２を図１４の矢印Ｂ１方向にスライドさせると、レバー２の一対のガイド溝２０，２０内を一対のガイドピン１１，１１がスライドすると共に、図１６（ｂ），（ｃ）に示すように、他方のコネクタハウジング３の一対のカムピン３６，３６がレバー２の一対のカム溝２１，２１内をスライド移動することによって、レバー２が図１４の回転完了位置から図１５の操作完了位置までスライド移動（直線移動）する。このスライド移動によってレバー２が嵌合完了位置に位置するまでにレバー２のショートピン２６が他方のコネクタハウジング３の一対の雄端子３８，３８に接触される。そして、嵌合検知スイッチＳＷ２がオンされると、リレー回路４２がオンされ、これによって初めて電源回路Ｄが導通状態とされる。
【００５３】
上記動作において、レバー２を操作開始位置から回転完了位置に回転移動した過程で、双方のコネクタハウジング１，３の各端子９，３５間が接触状態となり、パワースイッチＳＷ１がオンされるが、電源回路Ｄは未だ非導通であり、レバー２を回転完了位置から操作完了位置にスライド移動（直線移動）した過程で嵌合検知スイッチＳＷ２がオンされ、これによって、リレー回路４２がオンされて電源回路Ｄが初めて導通状態となるため、レバー２の操作途中で電源回路Ｄが導通状態となるのを防止することができる。
【００５４】
次に、レバー嵌合式電源回路遮断装置１Ａにより導通状態である電源回路Ｄを非導通状態、つまり、電源遮断とする動作を説明する。図１５の状態にあって、レバー２を図１５の矢印Ｂ２方向にスライドさせると、レバー２の一対のガイド溝２０，２０内を一対のガイドピン１１，１１がスライドすると共に、他方のコネクタハウジング３の一対のカムピン３６，３６がレバー２の一対のカム溝２１，２１内をスライド移動することによって、レバー２が図１５の操作完了位置から図１４の回転完了位置までスライド移動する。このスライド移動によってレバー２が回転完了位置に位置するまでにレバー２のショートピン２６が他方のコネクタハウジング３の一対の雄端子３８，３８より離間して非接触状態とされる。そして、嵌合検知スイッチＳＷ２がオフされると、リレー回路４２がオフされ、この時点で既に電源回路Ｄが非導通状態とされる。
【００５５】
次に、レバー２を図１４の矢印Ａ２方向に回転させると、レバー２が一対のガイドピン１１，１１を中心として回転して図１４の回転完了位置から図１１及び図１２の操作開始位置まで回転される。また、レバー２の一対のカム溝２１，２１内を他方のコネクタハウジング３の一対のカムピン３６，３６が移動することによって一方のコネクタハウジング１が他方のコネクタハウジング３の上方に徐々に離間移動されて引き出される。そして、レバー２が操作開始位置に位置するまでに双方のコネクタハウジング１，３の各パワー用端子９，３５間が非接触状態とされると共に、レバー２の操作開始位置では双方のコネクタハウジング１，３がコネクタ仮嵌合位置となる。
【００５６】
上記動作において、レバー２を操作完了位置から回転完了位置に直線移動した過程では、嵌合検知スイッチＳＷ２がオフされ、これによって、リレー回路４２がオフされて電源回路Ｄが非導通状態となり、レバー２を回転完了位置から操作開始位置に回転移動した過程で双方のコネクタハウジング１，３の各パワー用端子９，３５間のパワースイッチＳＷ１が離間状態となり、電源回路Ｄがオフされてから双方のコネクタハウジング１，３の各パワー用端子９，３５間のパワースイッチＳＷ１が離間されるまでにタイムラグがあり、放電時間が十分に確保される。このため、双方のコネクタハウジング１，３の各パワー用端子９，３５間のアーク放電の発生を防止することができる。
【００５７】
尚、一方のコネクタハウジング１を他方のコネクタハウジング３より完全に離間したい場合には、一方のコネクタハウジング１を他方のコネクタハウジング３の上方より取り出せば良い。
【００５８】
以上、上記したレバー嵌合式電源回路遮断装置１Ａでは、嵌合検知スイッチＳＷ２が一対の嵌合検知用雄端子３８，３８とショートピン２６とから構成されているため、他方のコネクタハウジング３とレバー２にそれぞれ小さな設置スペースで設置できる。従って、他方のコネクタハウジング３及びレバー２を小型化でき、ひいてはレバー嵌合式電源回路遮断装置１Ａを小型化できる。また、嵌合検知スイッチＳＷ２の構造が簡単であるため、安価にできる。
【００５９】
前記実施形態では、一対の雄端子３８，３８は、他方のコネクタハウジング３に配置された一対のブスバー３７，３７を利用して形成し、ショートピン２６は略コ字形状に形成し、ショートピン２６が一対の雄端子３８，３８を両外側から挟持することによって接触するように構成した。従って、略コ字形状のショートピン２６が一対のブスバー３７，３７を挟持することによって接触することから大きな圧接力で接触させることができるため、信頼性の高い導通状態が得られる。また、ショートピン２６を一対の雄端子３８，３８に接触・非接触させる直線ストロークは、従来の雄雌端子構造に比べて短くて済むため、レバー２の直線操作のストロークを短縮できる。
【００６０】
前記実施形態では、レバー２は間隔を置いて配置された一対のアームプレート部１８ａ，１８ｂと、この一対のアームプレート部１８ａ，１８ｂを連結する操作部１９とを備え、この操作部１９にショートピン２６を設けたので、レバー２の幅を大きくすることなくショートピン２６を設置できる。
【００６１】
また、前記実施形態では、カム溝２１がレバー２に、カムピン３６が他方のコネクタハウジング３に、それぞれ設けられているが、この逆にカム溝２１を他方のコネクタハウジング３に、カムピン３６をレバー２にそれぞれ設けても良い。これにより、設計の自由度の向上になる。さらに、前記実施形態では、ガイド溝２０がレバー２に、ガイドピン１１が一方のコネクタハウジング１に、それぞれ設けられているが、この逆にガイド溝２０を一方のコネクタハウジング１に、ガイドピン１１をレバー２にそれぞれ設けても良い。これにより、設計の自由度の向上になる。
【００６２】
さらに、前記実施形態では、レバー２が一方のコネクタハウジング１に回転移動、且つ、直線移動自在に設けられ、レバー２を回転移動と直線移動（スライド移動）とによって操作開始位置から操作完了位置に移動するようになっているが、レバー２を回転移動のみによって操作開始位置から操作完了位置に移動するものであっても、或いは、レバー２を直線移動（スライド移動）のみによって操作開始位置から操作完了位置に移動するものであっても本発明は適用可能である。レバー２が回転移動のみによって操作開始位置から操作完了位置に移動する装置にあっては、レバー２の回転移動の前半過程でパワースイッチがオンされ、回転移動の後半過程で嵌合検知スイッチＳＷ２がオンされるよう形成される。
【図面の簡単な説明】
【００６３】
【図１】本発明の一実施形態を示し、（ａ）は一方のコネクタハウジングの分解正面図、（ｂ）は一方のコネクタハウジングの分解側面図である。
【図２】本発明の一実施形態を示し、レバーの斜視図である。
【図３】本発明の一実施形態を示し、（ａ）はレバーの側面図、（ｂ）は図３（ａ）のＡ−Ａ線に沿う断面図である。
【図４】本発明の一実施形態を示し、レバーを装着した一方のコネクタハウジングであって、レバーが回転開始位置に位置する状態を示す正面図である。
【図５】本発明の一実施形態を示し、レバーを装着した一方のコネクタハウジングであって、レバーが回転開始位置に位置する状態を示す背面図である。
【図６】本発明の一実施形態を示し、（ａ）はレバーを装着した一方のコネクタハウジングの一部切欠平面図、（ｂ）はレバーを装着した一方のコネクタハウジングの底面図である。
【図７】本発明の一実施形態を示し、他方のコネクタハウジングの一部切欠正面図である。
【図８】本発明の一実施形態を示し、（ａ）は他方のコネクタハウジングの平面図、（ｂ）は同（ａ）中Ｂ−Ｂ線に沿う断面図である。
【図９】本発明の一実施形態を示し、電源回路の回路図である。
【図１０】本発明の一実施形態を示し、一方のコネクタハウジングを他方のコネクタハウジングに仮嵌合させる前の状態を示す斜視図である。
【図１１】本発明の一実施形態を示し、一方のコネクタハウジングを他方のコネクタハウジングに装着する過程のコネクタ仮嵌合位置であって、レバーが操作開始位置にある状態を示す斜視図である。
【図１２】本発明の一実施形態を示し、一方のコネクタハウジングを他方のコネクタハウジングに装着する過程のコネクタ仮嵌合位置であって、レバーが操作開始位置にある状態を示す一部破断の正面図である。
【図１３】本発明の一実施形態を示し、一方のコネクタハウジングを他方のコネクタハウジングに装着する過程のコネクタ仮嵌合位置であって、操作開始位置にあるレバーを省略した断面図である。
【図１４】本発明の一実施形態を示し、一方のコネクタハウジングを他方のコネクタハウジングに装着する過程のコネクタ嵌合位置であって、レバーが回転完了位置にある状態を示す斜視図である。
【図１５】本発明の一実施形態を示し、一方のコネクタハウジングを他方のコネクタハウジングに装着了した状態、つまり、コネクタ嵌合位置であって、レバーが操作完了位置にある状態を示す斜視図である。
【図１６】本発明の一実施形態を示し、（ａ）は一方のコネクタハウジングを他方のコネクタハウジングに装着する際のカムピンの移動過程を説明するものであって、レバーが操作開始位置と回転完了位置との間にある状態を示す正面図、（ｂ）は一方のコネクタハウジングを他方のコネクタハウジングに装着する際のカムピンの移動過程を説明するものであって、レバーが回転完了位置にある状態を示す正面図、（ｃ）は一方のコネクタハウジングを他方のコネクタハウジングに装着する際のカムピンの移動過程を説明するものであって、レバーが操作完了位置にある状態を示す正面図である。
【図１７】本発明の一実施形態を示し、（ａ）は一方のコネクタハウジングを他方のコネクタハウジングに装着する際のレバー軌跡矯正用ガイドピンの移動過程を説明するものであって、レバーが操作開始位置と回転完了位置との間にある状態を示す正面図、（ｂ）は一方のコネクタハウジングを他方のコネクタハウジングに装着する際のレバー軌跡矯正用ガイドピンの移動過程を説明するものであって、レバーが回転完了位置にある状態を示す正面図、（ｃ）は一方のコネクタハウジングを他方のコネクタハウジングに装着する際のレバー軌跡矯正用ガイドピンの移動過程を説明するものであって、レバーが操作完了位置にある状態を示す正面図である。
【図１８】従来例を示し、（ａ）は一方のコネクタハウジングの分解正面図、（ｂ）は一方のコネクタハウジングの分解側面図である。
【図１９】従来例を示し、レバーの斜視図である。
【図２０】従来例を示し、（ａ）はレバーの側面図、（ｂ）は同（ａ）中Ｃ−Ｃ線に沿う断面図である。
【図２１】従来例を示し、レバーを装着した一方のコネクタハウジングであって、レバーが操作開始位置に位置する状態を示す正面図である。
【図２２】従来例を示し、レバーを装着した一方のコネクタハウジングであって、レバーが回転開始位置に位置する状態を示す背面図である。
【図２３】従来例を示し、（ａ）はレバーを装着した一方のコネクタハウジングの一部切欠平面図、（ｂ）はレバーを装着した一方のコネクタハウジングの底面図である。
【図２４】従来例を示し、他方のコネクタハウジングの一部切欠正面図である。
【図２５】従来例を示し、（ａ）は他方のコネクタハウジングの平面図、（ｂ）は同（ａ）中Ｄ−Ｄ線に沿う断面図である。
【図２６】従来例を示し、電源回路の回路図である。
【図２７】従来例を示し、一方のコネクタハウジングを他方のコネクタハウジングに仮嵌合させる前の状態を示す斜視図である。
【図２８】従来例を示し、一方のコネクタハウジングを他方のコネクタハウジングに仮嵌合させ、レバーが操作開始位置にある状態を示す斜視図である。
【図２９】従来例を示し、一方のコネクタハウジングを他方のコネクタハウジングにコネクタ嵌合させ、レバーが回転完了位置にある状態を示す斜視図である。
【図３０】従来例を示し、一方のコネクタハウジングを他方のコネクタハウジングにコネクタ嵌合させ、レバーが操作完了位置にある状態を示す斜視図である。
【符号の説明】
【００６４】
１Ａ  レバー嵌合式電源回路遮断装置
１  一方のコネクタハウジング
２  レバー
３  他方のコネクタハウジング
９  パワー用雄端子（パワー用端子）
１８ａ，１８ｂ  アームプレート部
１９  操作部
２６  ショートピン
３５  パワー用雌端子（パワー用端子）
３７  ブスバー
３８  雄端子
ＳＷ１  パワースイッチ
ＳＷ２  嵌合検知スイッチ
Ｄ  電源回路
【図１】
2005142107.tif 000003
【図２】
2005142107.tif 000004
【図３】
2005142107.tif 000005
【図４】
2005142107.tif 000006
【図５】
2005142107.tif 000007
【図６】
2005142107.tif 000008
【図７】
2005142107.tif 000009
【図８】
2005142107.tif 000010
【図９】
2005142107.tif 000011
【図１０】
2005142107.tif 000012
【図１１】
2005142107.tif 000013
【図１２】
2005142107.tif 000014
【図１３】
2005142107.tif 000015
【図１４】
2005142107.tif 000016
【図１５】
2005142107.tif 000017
【図１６】
2005142107.tif 000018
【図１７】
2005142107.tif 000019
【図１８】
2005142107.tif 000020
【図１９】
2005142107.tif 000021
【図２０】
2005142107.tif 000022
【図２１】
2005142107.tif 000023
【図２２】
2005142107.tif 000024
【図２３】
2005142107.tif 000025
【図２４】
2005142107.tif 000026
【図２５】
2005142107.tif 000027
【図２６】
2005142107.tif 000028
【図２７】
2005142107.tif 000029
【図２８】
2005142107.tif 000030
【図２９】
2005142107.tif 000031
【図３０】
2005142107.tif 000032